(57)【特許請求の範囲】
【請求項１】
溶剤が透過する樹脂で成形された外筒軸先端よりペン芯を嵌挿し、このペン芯後端に前記樹脂を透過する溶剤からなるインキを充填したインキ吸蔵体を結合し、上記外筒軸内のインキ吸蔵体後方に所要の空間部を有するように構成した前部筆記具と、内筒軸ヘッド側先端よりペン芯を嵌挿し、このペン芯後端に上記インキ吸蔵体内のインキと同じ種類の溶剤からなるインキを充填したインキ吸蔵体を結合し、このインキ吸蔵体を密閉するように上記内筒軸ヘッドを内筒軸に結合し、この内筒軸後端で上記インキ吸蔵体後端の尾栓を行うように構成した後部筆記具とを備え、上述した前部筆記具の外筒軸内のインキ吸蔵体後方に、後部筆記具の内筒軸を嵌挿し、内筒軸で前部筆記具のインキ吸蔵体の尾栓を行えるように構成した筆記具において、内筒軸底面から離れた内筒軸側面に内筒軸内と外筒軸内とが連通する穿孔を設けたことを特徴とする両頭筆記具。
【請求項２】
外筒軸がポリプロピレンで成形され、かつ、内筒軸がポリエチレンもしくはポリプロピレンで成形されていることを特徴とする請求項１に記載の両頭筆記具。
【請求項３】
樹脂を透過する溶剤が、メチルアルコール、エチルアルコール、イソプロピルアルコール、ｎ-プロピルアルコール、ｎ-ブチルアルコール、エチレングリコールメチルエーテル及びプロピレングリコールメチルエーテルからなる群より選ばれる少なくとも一つを含むことを特徴とする請求項１又は２に記載の両頭筆記具。
【発明の詳細な説明】
【０００１】
【発明の属する技術分野】
本発明は、両端に二色又は二種のペン先又は筆先を備えた筆記具に関する。
【０００２】
【従来の技術】
従来において、アルコール等の揮発性有機溶剤を主溶剤とした筆記具（以下、「油性サインペン」という。）では、軸本体に内蔵されたインキが揮発しないようにキャップや尾栓によりシールされ密閉されているが、溶剤の性質により僅かずつ溶剤が蒸発し、その蒸気が軸本体を透過して揮発してしまうという課題を有していた。
そのため、例えば実公昭58-15197号公報に記載の両頭式の油性サインペンでは、長期保存中において、一重の軸筒内にあるインキ吸蔵体と二重の軸筒内にあるインキ吸蔵体とでは軸筒を透過する揮発性有機溶剤の量に差が生まれ、当該公報の図面においてペン芯(２)側とペン芯(６)側とでは、その筆記寿命に著しい差を生じることがあった。
【０００３】
【発明が解決しようとする課題】
本発明は、上記従来の課題に鑑みなされたものであり、溶剤の揮発量を抑制し、前部筆記具と後部筆記具との筆記寿命のバランスのとれた筆記具を提供することを目的とする。
【０００４】
【課題を解決するための手段】
本発明者らは、上記課題を解決するために鋭意研究を重ねた結果、筆記具の内筒軸に穿孔を設けることにより、上記従来の課題を解決することを見い出し、本発明を完成するに至ったのである。
【０００５】
即ち、本発明の両頭筆記具は、溶剤が透過する樹脂で成形された外筒軸先端よりペン芯を嵌挿し、このペン芯後端に前記樹脂を透過する溶剤からなるインキを充填したインキ吸蔵体を結合し、上記外筒軸内のインキ吸蔵体後方に所要の空間部を有するように構成した前部筆記具と、内筒軸ヘッド側先端よりペン芯を嵌挿し、このペン芯後端に上記インキ吸蔵体内のインキと同じ種類の溶剤からなるインキを充填したインキ吸蔵体を結合し、このインキ吸蔵体を密閉するように上記内筒軸ヘッドを内筒軸に結合し、この内筒軸後端で上記インキ吸蔵体後端の尾栓を行うように構成した後部筆記具とを備え、上述した前部筆記具の外筒軸内のインキ吸蔵体後方に、後部筆記具の内筒軸を嵌挿し、内筒軸で前部筆記具のインキ吸蔵体の尾栓を行えるように構成した筆記具において、内筒軸底面から離れた内筒軸側面に内筒軸内と外筒軸内とが連通する穿孔を設けたことを特徴とする。
【０００６】
【発明の実施の形態】
以下、本発明の実施の形態について図面を参照して説明する。
図１は、本発明の実施形態に係る前部筆記具Ａと後部筆記具Ｂの縦断面図である。図２は、図１に示した後部筆記具Ｂの尾端を前部筆記具Ａの尾端よりその内側に嵌挿して、１本の筆記具とした状態の縦断面図である。図３は、外筒軸内の内筒軸の縦断面図及び横断面図である。
【０００７】
本発明の両頭筆記具Ｃは、図１に示す前部筆記具Ａと後部筆記具Ｂとを備えており、後部筆記具Ｂの尾端を前部筆記具Ａの尾端よりその内側に嵌挿して、図２に示す１本の筆記具として構成したものである。
前部筆記具Ａは、溶剤が透過する樹脂で成形された外筒軸１の先端にペン芯２をホルダー２ａを介して強制嵌挿し、外筒軸１内のペン芯２後端に外筒軸１後端よりその内側に収容した前記樹脂を透過する溶剤を含有するインキを充填したインキ吸蔵体３を結合し、ペン芯２を密閉するようにキャップ４を設けた構成である。
【０００８】
他方、後部筆記具Ｂは、例えばポリエチレン、ポリプロピレン等で成形された内筒軸ヘッド５側の先端にペン芯６をホルダー６ａを介して嵌挿し、内筒軸ヘッド５内のペン芯６後端に上記インキ吸蔵体３内のインキと同じ種類の溶剤を含有するインキを充填したインキ吸蔵体７を結合し、内筒軸ヘッド５より後方に突出したこのインキ吸蔵体７を密閉するように内筒軸ヘッド５の筒部５ａに内筒軸８と外筒軸嵌合部１２より内筒軸７後端側に内筒軸内と図３に示す外筒軸内とが連通するような穿孔１１を少なくとも１個設けた内筒軸８を被嵌しており、この内筒軸８後端内面がインキ吸蔵体７の固定及び尾栓的役目を果たし、またペン芯６を密閉するようにキャップ９が設けられた構成である。
【０００９】
更に、前部筆記具Ａの外軸筒１内のインキ吸蔵体３後方に所要の長さの空間部１０があり、この空間部１０に後部筆記具Ｂの内筒軸８が嵌挿され、後部筆記具Ｂの内筒軸８の後端が前部筆記具Ａのインキ吸蔵体３の尾栓的役目を果たす構成である。
【００１０】
実施形態における穿孔は、内筒軸８の側面部後端寄りに位置して少なくとも１個以上形成されている。
但し、本発明に係る穿孔は、内筒軸に内筒軸内と外筒軸内とが連通するように設けられたものであり、好ましくは該内筒軸の底面から離れた内筒軸側面に設けられたものである。また、該穿孔は、上記筆記具の大きさにより何個でも設けることが可能であるが、少なくとも１個以上の穿孔を設けていれば本発明の効果が得られる。
また、穿孔の形状も特に限定されないが、例えば円柱状、円柱状、四角柱等が挙げられる。
【００１１】
溶剤が透過する樹脂で成形された外筒軸に使用される材質としては、特に限定されないが、例えばポリプロピレン等が挙げられる。
【００１２】
本発明で用いられるインキ吸蔵体３及びインキ吸蔵体７に充填されているインキは、特に限定されないが、同じ種類の溶剤からなるインキであれば良く、同色でも或いは異なる色のインキでも良い。
【００１３】
同じ種類の溶剤としては、インキ吸蔵体３及びインキ吸蔵体７に充填されているインキに主溶剤として用いられるもので、外筒軸を成形する樹脂を透過する溶剤であれば特に限定されないが、例えばメチルアルコール、エチルアルコール、イソプロピルアルコール、ｎ-プロピルアルコール、ｎ-ブチルアルコール等のアルコール類、例えばエチレングリコールメチルエーテル、プロピレングリコールメチルエーテル等のアルキレングリコールエーテル類等からなる群より選ばれた溶剤であれば良い。
【００１４】
また、本発明で用いられるインキは、色材として顔料及び／又は染料を用いればよい。
【００１５】
顔料としては特に限定されないが、例えば酸化チタン、カーボンブラック等の無機顔料、例えばフタロシアニン系、アゾ系、アントラキノン系、キナクリドン系等の有機顔料等が挙げられる。これら顔料は、そのまま用いても良いし、或いは、樹脂や界面活性剤等で表面改質した加工顔料を使用しても良い。
【００１６】
染料としては特に限定されないが、例えば塩基性染料、酸性染料、直接染料等はもちろん、可溶化やマイクロカプセル化等をしたものでも良い。該染料の具体例としは、例えばオリエント化学(株)製の「バリファストブラック＃１８０２」、「バリファストブラック＃１８０５」、「バリファストブラック＃３８２０」、「バリファストバイオレット＃１７０１」、「バリファストイエローＡＵＭ」、「バリファストイエロー＃３１０４」等、保土ケ谷化学(株)製の「スピロンバイオレットＣ−ＲＨ」、「スピロンブラックＣＭＨｓｐｅｃｉａｌ」、「スピロンイエローＣ−ＧＮＨ」、「スピロンオレンジＧＲＨ」、「スピロンレッドＢＥＨ」等、オーラミン、ローダミン等が挙げられる。
【００１７】
これらのインキへの添加量は、特に制限はなく、インキの溶解度や分散力に応じた量、または所望の色相や濃度に適した量であれば良い。しかしながら、この量は印影濃度及びインキ吐出量に深く関係し、添加量が多すぎると印影濃度は高くなるが、吐出量が少なくなって筆記具の寿命が短くなる。逆に、添加量が少ないと捺印寿命が長くなるが、印影の発色が良くない。該インキへの添加量としては、インキ総量に対して通常３〜20重量％の範囲から適宜選択される。
【００１８】
インキを調製する際には、ビヒクルが通常用いられる。該ビヒクルとしては、１種の分散樹脂と、１種もしくは２種以上の上記同じ種類の溶剤によって構成されるものが挙げられる。
【００１９】
分散樹脂としては、例えばポリビニルブチラール樹脂、エチルセルロース樹脂等が挙げられる。
【００２０】
本発明で用いられるインキには、必要に応じて本発明の両頭筆記具の性質を損なわない範囲で上記以外の成分を添加しても良い。添加可能な成分としては、例えば樹脂、界面活性剤、防腐剤、分散助剤等が挙げられる。
【００２１】
インキ吸蔵体に使用される材質としては、特に限定されないが、例えばスポンジゴム、プラスチック、セラミック、金属焼結体等を用いることが可能であり、その具体例としては、例えばアクリルゴム、ブチルゴム、アクリロニトリル−ブタジエンゴム、エチレン−プロピレンゴム、エチレン−ブチレンゴム、塩化ビニルゴム、ＥＰＤＭ（エチレン−プロピレン−ジエン共重合体）、ＰＶＦ（ポリビニルホルマール）等が挙げられる。
【００２２】
内筒軸８及び内筒軸ヘッド５を成形する樹脂としては、例えばポリエチレン、ポリプロピレン等が挙げられる。
【００２３】
尚、外筒軸と内筒軸に用いられる樹脂は、外筒軸と内筒軸によるシール性を考え、一般に使用される樹脂の中から硬度の違いや樹脂の柔らかさにより樹脂同士を密着させる事ができる様な樹脂を適宜選択することが好ましく、より好ましくは、その中でも樹脂と溶剤との組み合わせが良いものを適宜選択すれば良い。
【００２４】
本発明に係る、ペン芯２及びペン芯６の材質は、本発明の両頭筆記具の用途により適宜選択すれば良く、例えば繊維束芯、プラスチック等が挙げられる。
また、繊維束芯を用いる場合には、中綿繊維が用いられ、その種類は特に限定はなく、その外皮はフィルム巻き、チュービング等どちらでも使用可能である。
【００２５】
【発明の効果】
本発明の両頭筆記具は以下のような効果を奏するものである。
従来の筆記具は、ポリエチレン又はポリプロピレンで成形された内筒軸は前部筆記具及び後部筆記具の夫々インキ吸蔵体の尾栓の役割を果たすので、インキ吸蔵体に充填されているインキの揮発を防止することはできるが、内筒軸と外筒軸嵌合部より内筒軸後端側に内筒軸内と外筒軸内とが連通するような穿孔がなく、更にアルコール系のインキを用いているので、通常マーカー類に使用される溶剤と比較して外気温度の上昇に伴う蒸気圧の増加量が大きく、内筒軸の嵌挿されていない前部筆記具用のインキ吸蔵体は透過による外筒軸全表面よりの揮発減量が多くなり、筆記具の寿命が後部筆記具より極端に短くなるという課題を有していた。これに対し、本発明によれば、内筒軸と外筒軸嵌合部より内筒軸後端側に内筒軸内と外筒軸内とが連通するような穿孔を設け、内筒軸内と外筒軸内を連通させることにより、前部筆記具内のインキ吸蔵体からの揮発減量が緩和され、前部筆記具と後部筆記具の筆記寿命バランスの均衡をとることができる。
また、上記穿孔を内筒軸底面から離れた内筒軸側面に設ければ、よりインキの混色等の弊害を抑制することができる。
更に、外筒軸をポリプロピレンで成形し、かつ、内筒軸を例えばポリエチレン、ポリプロピレン等で成形すれば、シール性が良く、コストもかからず、しかも成形が容易となる。
更にまた、インキに用いる溶剤、即ち、樹脂を透過する溶剤を選択することにより、上記効果をより奏するものとなる。
【図面の簡単な説明】
【図１】本発明の実施形態に係る前部筆記具と後部筆記具の縦断面図である。
【図２】前部筆記具と後部筆記具とを一体化した状態の筆記具の縦断面図である。
【図３】内筒軸の縦断面図及び横断面図である。
【符号の説明】
Ａ  前部筆記具
Ｂ  後部筆記具
Ｃ  両頭筆記具
１  外筒軸
２  ペン芯
３  インキ吸蔵体
４  キャップ
５  内筒軸ヘッド
６  ペン芯
７  インキ吸蔵体
８  内軸筒
９  キャップ
１０  空間部
１１  穿孔
１２  外筒軸嵌合部
【図１】
0003942273.tif 000002
【図２】
0003942273.tif 000003
【図３】
0003942273.tif 000004